(57)【要約】  【課題】  郵便物の重量や必要な郵便料金を簡単に知ることができる郵便物用はかりを提供する。  【解決手段】  一方向に揺動可能な本体１０の表面に目印用垂線４０を設け、該目印用垂線４０を挟んで片側に重錘２０を、反対側に郵便物５０を支持するためのスリット３１、３２を設ける。スリット３１、３２は、それぞれ２５ｇの郵便物と、５０ｇの郵便物に対応しており、各スリット３１、３２に郵便物５０を支持させたときの目印用垂線４０の傾きから、該郵便物５０の重量が上記の値より大きいか小さいかを判定することができる。【選択図】  図１
0003111870.tif 000002
【実用新案登録請求の範囲】
【請求項１】
郵便物の重量を測定するためのはかりであって、
a)弧状に湾曲した接地面を有し、一方向に揺動可能な本体と、
b)前記本体の揺動方向と略平行な側面に設けられた目印用垂線と、
c)前記本体の揺動方向の一方の側に設けられた重錘部と、
d)前記本体の揺動方向の他方の側に設けられた、郵便物を支持可能な少なくとも１つのスリットと、
を有し、前記スリットが、該スリットに所定重量の郵便物を支持させたときに、前記目印用垂線が水平方向と略直角になるような位置に設けられていることを特徴とする郵便物用はかり。
【請求項２】
上記本体が十二支のいずれかをかたどった形状を有することを特徴とする請求項１に記載の郵便物用はかり。
【考案の詳細な説明】
【技術分野】
【０００１】
本考案は、封書等の郵便物を計量して必要な郵便料金を求めるためのはかりに関する。
【背景技術】
【０００２】
従来より、封書等を郵送する際に必要な料金を知るためのものとして郵便物専用の台はかりが市販され、オフィス等で広く使用されている。該台はかりには、目盛り盤に重量及びそれに対応した各種郵便物の郵便料金が記載されており、本体上部に設けられた上皿に郵便物を載置したときに針が差し示す位置によって、郵便物の重さ及び必要な郵便料金を知ることができる。しかし、このような郵便物専用の台はかりは比較的高価であるため、一般の家庭にはあまり普及していない。
【０００３】
そこで、一般家庭でも手軽に使用できる安価な郵便物用はかりとして、実公昭６０−２１７８０に記載のような、いわゆる吊り下げ天秤型の小型はかりが知られている。このようなはかりは、吊り下げ部材と、該吊り下げ部材に回動可能に取りつけられ、両端にそれぞれ重錘とクリップとを備えた秤量竿で構成されている。前記吊り下げ部材には秤量針が、前記秤量竿には該秤量針に対応する目盛り板が形成されており、前記クリップに郵便物を挟持させ、該郵便物と重錘とが釣り合ったときに該秤量針が指し示す目盛りを読みとることによって郵便物の重量を知ることができる。
【考案の開示】
【考案が解決しようとする課題】
【０００４】
しかし、上記のような吊り下げ天秤型のはかりは、郵便物を計量する際に、使用者が郵便物をクリップに挟持させ、吊り下げ部を手に持ってはかり全体及び郵便物を吊り下げる必要があり使いづらいものであった。
【０００５】
そこで、本考案が解決しようとする課題は、より簡単に郵便物の重量や必要な郵便料金を知ることができる郵便物用はかりを提供することである。
【課題を解決するための手段】
【０００６】
上記課題を解決するために成された本考案に係る郵便物用はかりは、郵便物の重量を測定するためのはかりであって、
a)弧状に湾曲した接地面を有し、一方向に揺動可能な本体と、
b)前記本体の揺動方向と略平行な側面に設けられた目印用垂線と、
c)前記本体の揺動方向の一方の側に設けられた重錘部と、
d)前記本体の揺動方向の他方の側に設けられた、郵便物を支持可能な少なくとも１つのスリットと、
を有し、前記スリットが、該スリットに所定重量の郵便物を支持させたときに、前記目印用垂線が水平方向と略直角になるような位置に設けられていることを特徴とする。
【０００７】
なお、ここで上記「弧状」とは、例えば、円弧や楕円弧などのように弓状に反った形状を意味している。
【考案の効果】
【０００８】
上記構成を有する本考案の郵便物用はかりによれば、該はかり本体を平坦な面に載置し、封書等の郵便物をスリットに差し込んで支持させるだけで、そのときの目印用垂線の傾きから、該郵便物の重量が所定の重量よりも大きいか小さいかを判定することができる。従って、該所定の重量を郵便料金区分の基準として定められた重量（以下、基準重量と呼ぶ）とすることで、容易に必要な郵便料金を求めることができる。また、形状が単純なため低コストで製造することができ、経済性の点でも優れている。
【考案を実施するための最良の形態】
【０００９】
以下、本考案を実施するための最良の形態について実施例を用いて説明する。
【００１０】
［実施例１］
図１に本考案に係る郵便物用はかりの一実施例を示す。図１（ａ）は正面図、図１（ｂ）は側面図である。なお、以下の説明では、本実施例の郵便物用はかりを正面から見た場合を基準として前後、上下、左右を定義する。本実施例の郵便物用はかりの本体１０は、幅ｗが約１５ｃｍ、奥行きｄが約５ｃｍの厚みのある略半円形の形状を有し、左右方向に揺動可能となっている。本体１０の正面中央には、目印用垂線４０が印刷されており、該目印用垂線４０を挟んで左右両側にそれぞれ重錘２０と２つのスリット３１、３２が設けられている。
【００１１】
スリット３１、３２は本体１０の上面に設けられており、スリット３１は２５ｇの郵便物を支持させたときに前記目印用垂線４０が水平方向と略直角になるような位置に、スリット３２は５０ｇの郵便物を支持させたときに前記目印用垂線４０が水平方向と略直角になるような位置に、それぞれ設けられている。また、重錘２０は本体１０の内部に埋め込まれている。
【００１２】
なお、計量する郵便物の重心位置によるモーメントの変化を抑え、常に正確な計量を行えるようにするため、各スリット３１、３２は目印用垂線４０と略平行になるように形成することが望ましい。
【００１３】
本実施例の郵便物用はかりを用いて郵便物の重さを調べる際には、本体１０を平坦な面６０に載置し、スリット３１に郵便物５０を差し込んで支持させる。このとき、目印用垂線４０が水平方向と略直角になるか、重錘２０側（図１(a)では左側）に傾いた場合には、該郵便物５０の重量は２５ｇ以下であると判定することができる。また、目印用垂線４０が郵便物５０側（図１(a)では右側）に傾いた場合には、該郵便物５０の重量は２５ｇよりも大きいことがわかる。
【００１４】
郵便物の重量が２５ｇを超えていた場合には、続いて、該郵便物５０をスリット３２に移動させる。このとき、目印用垂線４０が水平方向と略直角になるか、重錘２０側に傾いた場合には、該郵便物５０の重量は２５ｇより大きく、なお且つ５０ｇ以下であると判定される。また、図２に示すように、目印用垂線４０が郵便物５０側に傾いた場合には、該郵便物５０の重量は５０ｇよりも大きいと判定することができる。
【００１５】
なお、上記スリットの近傍には、各スリットに対応した重量や該重量に関連づけられた郵便料金を表記することが望ましい。この場合、例えば、５０ｇに対応したスリットの近傍には「５０ｇまで、定形９０円、定形外１２０円」のように表記する。これにより、郵便物の重量及び郵便料金の判定をより容易に行えるようになる。
【００１６】
以上のように、本実施例の郵便物用はかりを用いれば、郵便物をスリットに差し込んで支持させるだけで、該郵便物の重量が所定の基準重量よりも大きいか小さいかを判定することができ、必要な郵便料金を容易に知ることができる。
【００１７】
［実施例２］
本考案の郵便物用はかりの本体形状は、上記実施例１に示したもの以外に種々の形状とすることができ、美観的に優れたものとすることで、室内装飾用の置物としての役割を兼ねたものとすることもできる。このような場合の用途として、例えば、本体を十二支等をかたどった形状とし、郵便局等でノベルティとして顧客に提供することなどが考えられる。また、本考案に係る郵便物用はかりは、上記実施例１のように重錘を本体の内部に埋め込んだものに限られず、例えば、本体の上面に重錘を取りつけた構成としてもよい。更に、重錘部と本体は必ずしも別途設ける必要はなく、本体の重量が目印用垂線を挟んで左右非対称となるようにすることで、本体の一部が重錘部の役目を果たすようにしてもよい。例えば、図３に示す郵便物用はかりは十二支の酉をかたどったものであり、この場合、本体１０の一部である酉の頭部が重錘部としての役割を果たしている。
【００１８】
以上、本考案の郵便物用はかりを実施するための最良の形態について、実施例を用いて説明したが、本考案は上記実施例に限定されるものではなく、本考案の範囲内で種々の変更が許容されるものである。例えば、上記各実施例においては、郵便物用はかりの本体に基準重量に対応した複数のスリットを設けた構成としたが、スリットを本体の１箇所のみに設け、重錘を追加したり、異なる重量の重錘と交換したりすることによって、複数の基準重量に対応できる構成としてもよい。
【図面の簡単な説明】
【００１９】
【図１】本考案の郵便物用はかりの第１の実施例を示す模式図、（ａ）正面図、（ｂ）側面図。
【図２】同実施例の郵便物用はかりを用いて、５０ｇを超える重量の郵便物を測定した場合を示す模式図。
【図３】本考案の郵便物用はかりの第２の実施例を示す模式図。
【符号の説明】
【００２０】
１０…本体
２０…重錘
３１、３２…スリット
４０…目印用垂線
５０…郵便物
【図１】
0003111870.tif 000003
【図２】
0003111870.tif 000004
【図３】
0003111870.tif 000005